(57)【特許請求の範囲】
【請求項１】
周縁部とその内方に位置する中央部とを有するインナーカップと、
前記インナーカップの外側に設けられたアウターカップを有し、
前記インナーカップの外側に、不織布間に吸水性樹脂を有しパルプ繊維を有しないシート状吸収体が備えられ、
前記インナーカップは、前記周縁部が前記アウターカップに接合され、前記中央部が前記アウターカップに対して移動可能に形成されていることを特徴とする男性用失禁パッド。
【請求項２】
周縁部とその内方に位置する中央部とを有するインナーカップと、
前記インナーカップの外側に設けられたアウターカップを有し、
前記インナーカップには複数の折り目が形成され、
前記インナーカップは、前記周縁部が前記アウターカップに接合され、前記中央部が前記アウターカップに対して移動可能に形成されていることを特徴とする男性用失禁パッド。
【請求項３】
前記インナーカップの内側または外側に液吸収体が備えられている請求項２に記載の男性用失禁パッド。
【請求項４】
前記インナーカップの外側に、前記液吸収体として、不織布間に吸水性樹脂を有しパルプ繊維を有しないシート状吸収体が備えられている請求項３に記載の男性用失禁パッド。
【請求項５】
前記インナーカップには、複数の前記折り目が同心円状に形成されている請求項２〜４のいずれか一項に記載の男性用失禁パッド。
【請求項６】
前記インナーカップの内側または外側に、前記折り目と重ならないように液吸収体が備えられている請求項２〜５のいずれか一項に記載の男性用失禁パッド。
【請求項７】
前記インナーカップの中央部と前記アウターカップの間にクッション材が設けられている請求項１〜６のいずれか一項に記載の男性用失禁パッド。
【請求項８】
前記インナーカップは、第１層と、第１層の外側に設けられた第２層を有し、
前記第２層が前記中央部の一部に設けられている請求項１〜６のいずれか一項に記載の男性用失禁パッド。
【請求項９】
前記第２層が２以上に分割して設けられている請求項８に記載の男性用失禁パッド。
【請求項１０】
前記インナーカップは、第１層と、第１層の外側に設けられた第２層を有し、
前記第１層が、スパンボンド不織布、ポイントボンド不織布、メルトブロー不織布、ＳＭＳ不織布、または有孔プラスチックフィルムから構成され、
前記第２層が、エアスルー不織布またはエアレイド不織布から構成されている請求項１〜９のいずれか一項に記載の男性用失禁パッド。
【請求項１１】
前記アウターカップは、前記インナーカップより単位面積当たりの質量が大きい請求項１〜１０のいずれか一項に記載の男性用失禁パッド。
【請求項１２】
前記インナーカップと前記アウターカップは水解性である請求項１〜１１のいずれか一項に記載の男性用失禁パッド。
【請求項１３】
前記アウターカップは、前記インナーカップと接合されない部分の少なくとも一部が欠如している請求項１〜１２のいずれか一項に記載の男性用失禁パッド。
【発明の詳細な説明】
【技術分野】
【０００１】
本発明は、男性用失禁パッドに関するものである。
【背景技術】
【０００２】
従来、男性器に宛がって用いられる男性用失禁パッドが知られている。例えば特許文献１には、１枚のシート状部材からカップ形状に形成された男性用失禁パッドが開示されている。
【先行技術文献】
【特許文献】
【０００３】
【特許文献１】特開２００８−１３６６４１号公報
【発明の概要】
【発明が解決しようとする課題】
【０００４】
しかし、特許文献１に開示される男性用失禁パッドは１枚のシート状部材からカップ形状に形成されているため、男性用失禁パッドが男性器を保護して所望の形状が保持されるようにすると、男性用失禁パッドの男性器へのフィット性が低下するおそれがある。
【０００５】
本発明は前記事情に鑑みてなされたものであり、その目的は、男性器へのフィット性が良好な男性用失禁パッドを提供することにある。
【課題を解決するための手段】
【０００６】
前記課題を解決することができた本発明の男性用失禁パッドとは、周縁部とその内方に位置する中央部とを有するインナーカップと、インナーカップの外側に設けられたアウターカップを有し、インナーカップは、周縁部がアウターカップに接合され、中央部がアウターカップに対して移動可能に形成されているところに特徴を有する。本発明の男性用失禁パッドは、アウターカップの内側にインナーカップが設けられ、インナーカップの中央部がアウターカップに対し移動可能に形成されているため、インナーカップの男性器へのフィット性が高められるとともに、インナーカップがアウターカップにより外部の圧力から保護され、インナーカップが外部からの圧力によって変形しにくくなる。従って、男性用失禁パッドの着用感が向上する。
【０００７】
インナーカップの中央部とアウターカップの間にはクッション材が設けられていることが好ましい。このようにクッション材が設けられることにより、インナーカップの中央部が着用者の男性器に向かって押され、中央部で男性器へのフィット性をより高めることができるようになる。
【０００８】
インナーカップは、第１層と、第１層の外側に設けられた第２層を有し、第２層が中央部の一部に設けられていることが好ましい。インナーカップがこのように形成されていれば、中央部がアウターカップに追従しにくくなり、中央部がアウターカップに対し自由に動きやすくなり、中央部の男性器へのフィットを保持しやすくできる。中央部の男性器へのフィット性を高めるためには、第２層は、２以上に分割して中央部の一部に設けられていることがより好ましい。
【０００９】
インナーカップは、第１層と、第１層の外側に設けられた第２層を有し、第１層が、スパンボンド不織布、ポイントボンド不織布、メルトブロー不織布、ＳＭＳ不織布、または有孔プラスチックフィルムから構成され、第２層が、エアスルー不織布またはエアレイド不織布から構成されていることが好ましい。このようにインナーカップが形成されていれば、男性用失禁パッドの着用感が向上するとともに、エアスルー不織布またはエアレイド不織布から構成される第２層により尿の吸収性が高められる。
【００１０】
インナーカップの内側または外側には液吸収体が備えられていることが好ましい。インナーカップに液吸収体が備えられていれば、着用者から多量の尿が排泄されても、尿を男性用失禁パッドの外側に漏らすことなく、液吸収体に尿を固定することができるようになる。
【００１１】
液吸収体として、インナーカップの外側に、不織布間に吸水性樹脂を有しパルプ繊維を有しないシート状吸収体が備えられていることも好ましい。液吸収体としてシート状吸収体を用いれば、シート状吸収体をインナーカップに設けても、インナーカップを柔軟に形成することができ、男性器へのフィット性を高めやすくなる。また、シート状吸収体をインナーカップの外側に設けることにより、インナーカップでまず尿を吸収させた後、インナーカップで吸収しきれなかった尿をシート状吸収体で吸収させるようにすることができる。従って、速やかな尿の吸収と、尿の高い吸収容量を実現できる。
【００１２】
インナーカップには、複数の折り目が形成されていることが好ましい。インナーカップに複数の折り目が形成されることにより、インナーカップは中央部のアウターカップに対する移動範囲が広がり、中央部で男性器へのフィット性をより高めることができるようになる。インナーカップには、特に、複数の折り目が同心円状に形成されていることが好ましい。
【００１３】
インナーカップに折り目が形成される場合、液吸収体は、インナーカップの内側または外側に、折り目と重ならないように備えられることが好ましい。このように液吸収体がインナーカップに備えられていれば、インナーカップに折り目を形成しやすくなり、インナーカップを所望の形状に折り畳みやすくなる。
【００１４】
アウターカップは、インナーカップより単位面積当たりの質量が大きいことが好ましい。インナーカップとアウターカップがこのように構成されていれば、アウターカップがインナーカップより高い剛性を有しやすくなる。従って、インナーカップがアウターカップにより外部の圧力から保護され、インナーカップが外部からの圧力によって変形しにくくなる。
【００１５】
インナーカップとアウターカップは水解性であってもよい。インナーカップとアウターカップが水解性であれば、男性用失禁パッドを通常の水洗トイレ等に流して廃棄することが可能となる。従って、着用者は男性用失禁パッドを廃棄する場所を気にしなくて済むようになる。
【００１６】
アウターカップは、インナーカップと接合されない部分の少なくとも一部が欠如していてもよい。このようにアウターカップが形成されていれば、男性用失禁パッド内での蒸れが抑えられ、着用感が向上する。
【発明の効果】
【００１７】
本発明の男性用失禁パッドは、アウターカップの内側にインナーカップが設けられ、インナーカップの中央部がアウターカップに対し移動可能に形成されているため、インナーカップの男性器へのフィット性が高められるとともに、インナーカップがアウターカップにより外部の圧力から保護され、インナーカップが外部からの圧力によって変形しにくくなる。従って、男性用失禁パッドの着用感が向上する。
【図面の簡単な説明】
【００１８】
【図１】本発明の男性用失禁パッド（第１実施態様）の斜視図を表す。
【図２】本発明の男性用失禁パッド（第１実施態様）の平面図を表す。
【図３】図２に示した男性用失禁パッドのＡ−Ａ断面図を表す。
【図４】本発明の男性用失禁パッド（第２実施態様）の斜視図を表す。
【図５】本発明の男性用失禁パッド（第２実施態様）の平面図を表す。
【図６】図５に示した男性用失禁パッドのＢ−Ｂ断面図を表す。
【図７】図５に示した男性用失禁パッドに液吸収体が備えられた実施態様を表す。
【発明を実施するための形態】
【００１９】
本発明の男性用失禁パッドについて、図面を参照して説明する。なお本発明は、図面に示された実施態様に限定されるものではない。
【００２０】
図１〜図３には、本発明の男性用失禁パッドの第１実施態様を示す。図１は第１実施態様にかかる男性用失禁パッドの斜視図を表し、図２は第１実施態様にかかる男性用失禁パッドの平面図を表し、図３は図２のＡ−Ａ断面図を表す。なお、図２は、男性用失禁パッドの着用者の肌に面する側を表している。
【００２１】
本発明の男性用失禁パッド１は、インナーカップ２と、インナーカップ２の外側に設けられたアウターカップ３を有する。男性用失禁パッド１を使用する際、インナーカップ２は着用者の肌に面するように位置し、アウターカップ３は着用者とは反対側すなわち外側に位置する。
【００２２】
インナーカップ２はカップ形状を有しており、カップ形状の内部に男性器を好適に収容できる。インナーカップ２は、好ましくは、陰茎と陰嚢の両方を覆う。第１実施態様の男性用失禁パッド１は、インナーカップ２が、一方側に膨らんだカップ形状を有している。
【００２３】
インナーカップ２は、周縁部２ａとその内方に位置する中央部２ｂを有する。周縁部２ａは、インナーカップ２の外縁を含むインナーカップ２の一部分であり、中央部２ｂは周縁部２ａに隣接し周縁部２ａの内方に位置する部分である。中央部２ｂは、その全周囲が周縁部２ａに囲まれている。図１〜図３では、周縁部２ａと中央部２ｂは点線で区分して表示されている。
【００２４】
アウターカップ３はカップ形状を有しており、インナーカップ２を保護するために設けられる。インナーカップ２は、周縁部２ａがアウターカップ３に接合され、中央部２ｂがアウターカップ３に対し移動可能に形成されている。このとき、周縁部２ａは一部または全部がアウターカップ３に接合されればよい。このようにインナーカップ２とアウターカップ３が設けられることにより、インナーカップ２の男性器へのフィット性が高められるとともに、インナーカップ２がアウターカップ３により外部の圧力から保護され、インナーカップ２が外部からの圧力によって変形しにくくなる。
【００２５】
インナーカップ２は、柔軟で、尿等をある程度吸収できる材料で構成されていることが好ましい。そのような材料でインナーカップ２が構成されていれば、インナーカップ２の男性器へのフィット性を高めることができるとともに、不用意に排泄された尿がインナーカップ２で吸収されて、尿が男性用失禁パッド１の外側に漏れることを防止できるようになる。
【００２６】
インナーカップ２は、具体的には、親水性の不織布から構成されていることが好ましく、そのような不織布としては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等が挙げられる。親水性不織布としては、スパンボンド法、エアスルー法、ポイントボンド法、メルトブロー法、エアレイド法やそれらの製法の組み合わせ（例えば、ＳＭＳ法）等により製造された不織布を用いればよい。また、インナーカップ２は、織布や編布から構成されていてもよい。
【００２７】
インナーカップ２の内側に液吸収体が備えられる場合は、インナーカップ２は液不透過性の材料で構成されていてもよい。この場合も、インナーカップ２は柔軟な材料で構成されていることが好ましい。液不透過性の材料としては、ポリオレフィン（例えば、ポリプロピレン、ポリエチレン）、ポリエステル、ポリアミド（例えば、ナイロン）等の疎水性繊維から形成された不織布や、プラスチックフィルム等が挙げられる。液不透過性の不織布としては、スパンボンド法、エアスルー法、ポイントボンド法、メルトブロー法、エアレイド法やそれらの製法の組み合わせ（例えば、ＳＭＳ法）等により製造された不織布を用いればよい。なお、本発明において、液不透過性とは撥水性の意味も含まれる。
【００２８】
インナーカップ２は、複数のシート部材が重ねられて形成されていてもよい。すなわちインナーカップ２は、第１層と、第１層の外側に設けられた第２層を有していてもよい。このとき、例えば、第１層と第２層がともに不織布である組み合わせや、第１層が不織布で第２層がプラスチックフィルムである組み合わせ、第１層が有孔プラスチックフィルムで第２層が不織布である組み合わせ等が示される。第２層の外側には、さらに第３層が設けられてもよい。
【００２９】
インナーカップ２による尿の吸収性を高める点からは、インナーカップ２は、親水性のエアスルー不織布またはエアレイド不織布から構成される層を有することが好ましい。エアスルー不織布やエアレイド不織布は嵩高く、繊維間隙に比較的多量の尿を保持することができるためである。
【００３０】
インナーカップ２がエアスルー不織布またはエアレイド不織布から構成される層を有する場合、エアスルー不織布やエアレイド不織布から構成される層は、男性器とは直接触れないように設けられることが好ましい。エアスルー不織布やエアレイド不織布は表面が比較的粗いため、男性器がエアスルー不織布やエアレイド不織布と接触すると、着用者は男性器にむずがゆさや痛みを覚えるおそれがあるためである。従ってインナーカップ２は、第１層と、第１層の外側に設けられた第２層を有し、第１層が、比較的表面が平滑であるスパンボンド不織布、ポイントボンド不織布、メルトブロー不織布、ＳＭＳ不織布、または有孔プラスチックフィルムから構成され、第２層が、エアスルー不織布またはエアレイド不織布から構成されることが好ましい。このとき、第１層と第２層はいずれも親水性であることが好ましい。さらに第２層の外側に第３層を設け、エアスルー不織布またはエアレイド不織布から構成される第２層を第１層と第３層の間に配してもよい。第３層としては、例えば、第１層に使用可能な材料を用いればよい。
【００３１】
アウターカップ３は、インナーカップ２より高い剛性を有する材料で構成されていることが好ましい。アウターカップ３がこのように構成されていれば、インナーカップ２がアウターカップ３により外部の圧力から保護され、インナーカップ２が外部からの圧力によって変形しにくくなる。具体的には、アウターカップ３はインナーカップ２より単位面積当たりの質量が大きいことが好ましい。
【００３２】
アウターカップ３は液不透過性の材料で構成されていることが好ましい。そのような材料としては、インナーカップ２に用いられ得る液不透過性の材料を用いればよい。アウターカップ３がある程度の高い剛性を有するようにする点からは、アウターカップ３は液不透過性の不織布から構成されていることが好ましい。
【００３３】
インナーカップ２とアウターカップ３は水解性であってもよい。水解性とは、水洗トイレ等で水に流した際に分散あるいは溶解してその原形が失われる性質を意味する。従って、インナーカップ２とアウターカップ３が水解性であれば、男性用失禁パッド１を通常の水洗トイレ等に流して廃棄することが可能となり、着用者は男性用失禁パッド１を廃棄する場所を気にしなくて済むようになる。
【００３４】
インナーカップ２とアウターカップ３が水解性を有するためには、インナーカップ２とアウターカップ３が水解性材料から構成されていることが好ましい。水解性材料としては、木材パルプ繊維、非木材系植物繊維、レーヨン繊維、ポリエステル繊維等の合成繊維等が挙げられる。さらに水解性材料に、澱粉、ポリアクリル酸水溶液、ポリエチレンオキサイド、アルキルセルロース、ヒドロキシアルキルセルロース等の水溶性バインダーが加えられていてもよい。
【００３５】
インナーカップ２とアウターカップ３は生分解性であってもよい。生分解性とは、微生物等の生物によって分解可能であることを意味する。インナーカップ２とアウターカップ３は生分解性であれば、男性用失禁パッド１を水洗トイレに流して廃棄した際、下水処理場等で活性汚泥処理等が施されて、インナーカップ２とアウターカップ３が好適に二酸化炭素や汚泥等に分解され得る。
【００３６】
インナーカップ２の中央部２ｂがアウターカップ３に対し移動可能に形成されるために、インナーカップ２の中央部２ｂとアウターカップ３の間に空間が設けられていることが好ましい。第１実施態様の男性用失禁パッド１はインナーカップ２がアウターカップ３より狭い面積となるように構成され、インナーカップ２の周縁部２ａがアウターカップ３に接合されることにより、中央部２ｂはアウターカップ３に対し浮くように形成されている。その結果、図３に示すように、インナーカップ２の中央部２ｂとアウターカップ３の間には空間が形成される。このようにインナーカップ２の中央部２ｂが構成されることにより、中央部２ｂはアウターカップ３に対し自由に動くことができるようになり、中央部２ｂで男性器へのフィット性を高めることができる。
【００３７】
インナーカップ２の中央部２ｂとアウターカップ３の間に形成された空間には、クッション材が設けられることも好ましい。つまり、インナーカップ２の中央部２ｂとアウターカップ３の間にはクッション材が設けられることが好ましい。このようにクッション材が設けられることにより、インナーカップ２の中央部２ｂが着用者の男性器に向かって押され、中央部２ｂで男性器へのフィット性をより高めることができるようになる。
【００３８】
クッション材としては、発泡ウレタン、発泡ゴム、発泡ポリエステル等の発泡ポリマー；綿、パルプ繊維、合成繊維等の繊維の集合体である繊維塊を用いることができ、これらの材料をインナーカップ２の中央部２ｂとアウターカップ３の間の空間に充填すればよい。
【００３９】
また、天然ゴム；ウレタンゴム、スチレンブタジエンゴム、ブタジエンゴム、エチレンプロピレンゴム等の合成ゴム；不織布等から構成されるシート部材を折り畳み、折り畳んだシート部材をクッション材としてインナーカップ２の中央部２ｂとアウターカップ３の間の空間に配してもよい。さらに、前記シート部材を、折り畳まずに、インナーカップ２の中央部２ｂとアウターカップ３の間の空間に、アウターカップ３の弧状の内面に対し弦となるように接合してもよい。このようにシート部材の両端を、アウターカップ３の内面をショートカットするように、アウターカップ３の内面に接合することにより、シート部材にクッション作用を持たせることもできる。前記シート部材として不織布を用いる場合は比較的目付の大きい不織布を用いることが好ましく、目付としては５０ｇ／ｍ2〜１５０ｇ／ｍ2（より好ましくは、６０ｇ／ｍ2〜１２０ｇ／ｍ2）の範囲が好ましい。
【００４０】
インナーカップ２の中央部２ｂがアウターカップ３に対し移動可能に形成されるために、インナーカップ２の中央部２ｂの一部に補強材を取り付けることも好ましい。中央部２ｂの一部に補強材を取り付けることにより、中央部２ｂの補強材が取り付けられた部分の剛性が高くなるのに対し、中央部２ｂの補強材が取り付けられない部分は剛性が低くなりやすくなり、中央部２ｂで剛性の異なる部分が形成されやすくなる。その結果、中央部２ｂがアウターカップ３に追従しにくくなり、中央部２ｂがアウターカップ３に対し自由に動きやすくなる。例えば、着用者の動作によって男性用失禁パッド１が外部から圧力を受けた場合、アウターカップ３の歪みやずれに対し中央部２ｂが追従しにくくなり、中央部２ｂの男性器へのフィットを保持しやすくできる。中央部２ｂの一部に補強材が取り付けられる場合は、インナーカップ２の中央部２ｂとアウターカップ３の間の空間は設けられても設けられなくてもよい。
【００４１】
補強材は、インナーカップ２の内側に取り付けられても、外側に取り付けられてもよい。また、インナーカップ２の中央部２ｂの一部に補強材を取り付けるのと同様の効果を得るために、インナーカップ２を次のように形成してもよい。すなわち、インナーカップ２が、第１層と、第１層の外側に設けられた第２層を有し、第２層が中央部２ｂの一部に設けられてもよい。このとき、第２層が補強材と同様の役割を果たす。第２層には比較的嵩高い材料を用いることが好ましく、そのような材料として、エアスルー不織布またはエアレイド不織布を用いることが好ましい。
【００４２】
第２層がインナーカップ２の中央部２ｂの一部に設けられる場合、第２層は、中央部２ｂの面積の２０％〜９０％（より好ましくは、３０％〜８０％）を占めるように、中央部２ｂに設けられることが好ましい。また、中央部２ｂの男性器へのフィット性を高める点から、第２層は中央部２ｂにおいて２以上に分割して設けられることが好ましい。第２層が分割される数の上限は特に限定されないが、１０以下が好ましく、８以下がより好ましい。第２層が分割される数が１０以下であれば、中央部２ｂに第２層が設けられた男性用失禁パッド１を製造することが容易になる。インナーカップ２に補強材を取り付ける場合も、同様の条件で補強材を設けることが好ましい。
【００４３】
インナーカップ２の中央部２ｂの一部に補強材または第２層が設けられる場合、補強材または第２層は周縁部２ａにも設けられてもよい。補強材または第２層が周縁部２ａにも設けられれば、周縁部２ａの剛性が高まり、男性用失禁パッド１の形状が保持されやすくなる。なお、補強材または第２層が周縁部２ａにも設けられる場合は、中央部２ｂに設けられる補強材または第２層と、周縁部２ａに設けられる補強材または第２層は、互いに離間していることが好ましい。このように補強材または第２層が設けられれば、インナーカップ２の中央部２ｂがアウターカップ３に対し自由に動きやすくなる。
【００４４】
アウターカップ３は、インナーカップ２と接合されない部分の少なくとも一部が欠如していてもよい。すなわち、アウターカップ３には、インナーカップ２と接合されない部分に開口が形成されていてもよい。アウターカップ３に開口が形成されていれば、男性用失禁パッド１内での蒸れが抑えられ、着用感が向上する。なお、アウターカップ３に形成される開口は、その面積がアウターカップ３のインナーカップ２と接合されない部分の面積と同じかそれより小さくなるように設けられることが好ましい。このように開口が形成されれば、アウターカップ３の強度が確保されやすくなり、またインナーカップ２の中央部２ｂが外部から直接圧力を受けにくくなる。
【００４５】
アウターカップ３の外側には、粘着剤やフック・ループ・ファスナー等の固定手段が設けられていてもよい。アウターカップ３の外側に固定手段が設けられていれば、固定手段により男性用失禁パッド１を着用者のパンツの内側に好適に固定できるようになる。
【００４６】
インナーカップ２の内側または外側には液吸収体が備えられていることが好ましい。なお、インナーカップ２の外側に液吸収体が備えられる場合は、液吸収体はインナーカップ２とアウターカップ３の間に設けられる。インナーカップ２に液吸収体が備えられていれば、着用者から多量の尿が排泄されても、尿を男性用失禁パッド１の外側に漏らすことなく、液吸収体に尿を固定することができるようになる。
【００４７】
液吸収体は、尿等を吸収できる吸収性材料を含むものであれば特に限定されない。液吸収体としては、例えば、吸収性材料を所定形状に成形した成形体を用いたり、あるいは吸収性材料を紙（例えば、ティッシュペーパーや薄葉紙）や液透過性不織布等のシート部材で覆ったものを用いることができる。液吸収体に含まれる吸収性材料としては、例えば、粉砕したパルプ繊維、セルロース繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等の体液との親和性を高めるために、界面活性剤等により親水化処理が施されていてもよい。
【００４８】
吸収性材料は、尿等を速やかに吸収できるようにするために親水性繊維を含むことが好ましい。また、液吸収体の吸収容量を高める点からは、吸収性材料は吸水性樹脂を含むことが好ましい。吸収性材料は、例えば、親水性繊維の集合体に吸水性樹脂を混合または散布したものを用いればよい。
【００４９】
液吸収体としては吸水性樹脂のみを用いてもよい。あるいは、液吸収体は、不織布間に吸水性樹脂を有しパルプ繊維を有しないシート状吸収体であってもよい。シート状吸収体は不織布間に吸水性樹脂を有するため、高い吸収容量を実現できる。また、シート状吸収体は不織布間にパルプ繊維を有しないため、嵩張らず薄型に形成することができるとともに、柔軟に形成することができる。従って、液吸収体としてシート状吸収体を用いれば、シート状吸収体をインナーカップ２に設けても、インナーカップ２を柔軟に形成することができ、男性器へのフィット性を高めやすくなる。
【００５０】
シート状吸収体に用いられる不織布は液透過性であり、そのような不織布としては、例えば、セルロース、レーヨン、コットン等の親水性繊維；ポリオレフィン（例えば、ポリプロピレン、ポリエチレン）、ポリエステル、ポリアミド（例えば、ナイロン）等の疎水性繊維を界面活性剤で親水化したものを用いればよい。シート状吸収体に用いられる不織布としては、比較的薄くて柔軟性の高い不織布が好ましく、例えば、スパンボンド不織布、ポイントボンド不織布、メルトブロー不織布、またはＳＭＳ不織布を用いることが好ましい。
【００５１】
液吸収体としてシート状吸収体を用いる場合、シート状吸収体はインナーカップ２の外側に設けることが好ましい。シート状吸収体は尿の吸収速度の点では若干劣るため、シート状吸収体をインナーカップ２の外側に設けることにより、インナーカップ２でまず尿を吸収させた後、インナーカップ２で吸収しきれなかった尿をシート状吸収体で吸収させるようにすることが好ましい。
【００５２】
インナーカップ２の内側または外側に液吸収体が備えられる場合、液吸収体のインナーカップ２とは反対側の面には液透過性シートが設けられてもよい。つまり、液吸収体はインナーカップ２と液透過性シートの間に配されてもよい。液透過性シートとしては、前記説明した親水性不織布や、ティッシュ、クレープ紙等を用いることができる。
【００５３】
次に本発明の男性用失禁パッドの別の実施態様について説明する。図４〜図６には、本発明の男性用失禁パッドの第２実施態様として、図１〜図３に示した男性用失禁パッド１に対し、インナーカップ２に折り目４ａ，４ｂ，４ｃが形成された男性用失禁パッド１を示す。図４は第２実施態様にかかる男性用失禁パッドの斜視図を表し、図５は第２実施態様にかかる男性用失禁パッドの平面図を表し、図６は図５のＢ−Ｂ断面図を表す。図５は、男性用失禁パッドの着用者の肌に面する側を表している。なお下記の説明において、図１〜図３に示した第１実施態様と重複する部分の説明は省略する。
【００５４】
第２実施態様の男性用失禁パッド１は、インナーカップ２に同心円状に折り目４ａ，４ｂが形成されている。本発明では、このようにカップ形状に折り目が形成される場合も、カップ形状の範疇に含まれるものとする。「同心円状の折り目」とは、各折り目が真円状に形成される必要はなく、各折り目が閉曲線状に形成され、かつそれぞれの折り目が互いに交わらなければよい。また、折り目は明確な線状に形成される必要はなく、なだらかな山状やなだらかな谷状に折り目が形成されていてもよい。
【００５５】
第２実施態様の男性用失禁パッド１は、折り目４ａ，４ｃが谷折りを表し、折り目４ｂが山折りを表しており、インナーカップ２が同心円状のアコーディオン状に折り畳まれている。つまり、谷折りの折り目と山折りの折り目が交互に形成されている。インナーカップ２は、外縁と折り目４ａの間が周縁部２ａに相当し、折り目４ａよりも内方が中央部２ｂに相当する。第２実施態様の男性用失禁パッド１は、中央部２ｂを着用者に対しより広範囲に近づけて配置したり遠ざけて配置することが可能となり、中央部２ｂで男性器へのフィット性をより高めることができるようになる。
【００５６】
図４〜図６にはインナーカップ２に同心円状の折り目が形成される実施態様を示したが、インナーカップ２に形成される折り目は同心円状でなくてもよい。例えば、複数の弧状の折り目が互いに交わらずに同心状に形成されてもよく、複数の直線状の折り目が互いに交わらずに略平行に形成されてもよく、複数の折り目が放射状に形成されてもよい。インナーカップ２に複数の折り目が形成されることにより、中央部２ｂのアウターカップ３に対する移動範囲が広がり、中央部２ｂで男性器へのフィット性をより高めることができるようになる。なかでも、図４〜図６に示したようにインナーカップ２に同心円状の折り目が形成される場合は、中央部２ｂで男性器へのフィット性をより高めることができる点で、特に好ましい。
【００５７】
インナーカップ２に折り目が形成される場合、液吸収体は折り目と重ならないように備えられることが好ましい。特に液吸収体がパルプ繊維を含む場合は、液吸収体が比較的嵩高く形成され、インナーカップ２の液吸収体が設けられた部分で剛性が高くなりやすくなるため、パルプ繊維を含む液吸収体は折り目と重ならないようにインナーカップ２に備えられることが好ましい。
【００５８】
図７には、図５に示した男性用失禁パッド１に液吸収体５を設けた実施態様の一例を示した。図７では、液吸収体５が折り目４ａ，４ｂ，４ｃのいずれとも重ならないようにインナーカップ２に備えられている。このように液吸収体５がインナーカップ２に備えられていれば、インナーカップ２に折り目を形成しやすくなり、インナーカップ２を所望の形状に折り畳みやすくなる。
【００５９】
インナーカップ２に折り目が形成され、さらにインナーカップ２において、第１層の外側に設けられた第２層が中央部２ｂの一部に設けられる場合においても、第２層は折り目と重ならないように設けられることが好ましい。この場合もまた、インナーカップ２に折り目を形成しやすくなり、インナーカップ２を所望の形状に折り畳みやすくなる。
【符号の説明】
【００６０】
１：  男性用失禁パッド
２：  インナーカップ
２ａ：  周縁部
２ｂ：  中央部
３：  アウターカップ
４ａ，４ｂ，４ｃ：  折り目
５：  液吸収体
【図１】
0005796802.tif 000002
【図２】
0005796802.tif 000003
【図３】
0005796802.tif 000004
【図４】
0005796802.tif 000005
【図５】
0005796802.tif 000006
【図６】
0005796802.tif 000007
【図７】
0005796802.tif 000008